(57)【要約】【課題】本発明の課題は分け目やつむじの部分となる箇所と、人毛及び人工毛を植毛される箇所とを一体化させ、且つ、分け目やつむじの部分となる箇所を目立たなくさせたネット部を備えたかつらベース及びかつらを提供することである。【解決手段】人毛又は人工毛が植毛されるネット部１１で形成されているかつらベースにおいて、ネット部１１は単一の布状部材で構成され、このネット部１１の一部に地肌の色と近似した部分１３を有する構成とした。【選択図】図１
2008266861.tif 000002
【特許請求の範囲】
【請求項１】
人毛又は人工毛が植毛されるネット部で形成されているかつらベースにおいて、前記ネット部は単一の布状部材で構成され、該ネット部の一部に地肌の色と近似した部分を有する、
ことを特徴とするかつらベース。
【請求項２】
前記地肌の色と近似した部分は、長手方向に伸びる矩形状に形成されている、
ことを特徴とする請求項１記載のかつらベース。
【請求項３】
前記地肌の色と近似した部分は、頭髪の分け目部として使用される、
ことを特徴とする請求項１に記載のかつらベース。
【請求項４】
前記地肌の色と近似した部分は、頭髪の生え際部として使用される、
ことを特徴とする請求項１に記載のかつらベース。
【請求項５】
前記地肌の色と近似した部分は、所定幅で長手方向に伸びる細長部と、
該細長部からその片側又は両側に所定角度及び間隔で伸長された多数の直線の集合からなる直線部と、を有し、
前記多数の直線部の先端同士を結んだ線が略矩形状をなすように形成されている、
ことを特徴とする請求項１記載のかつらベース。
【請求項６】
前記細長部の長手方向の一端は、前記多数の直線部が放射状に伸長されて略半円状に形成された半円部を有している、
ことを特徴とする請求項５記載のかつらベース。
【請求項７】
請求項１から請求項６のいずれか一つに記載されたかつらベースを備えることを特徴とするかつら。
【発明の詳細な説明】
【技術分野】
【０００１】
本発明は、人毛又は人工毛が植毛されるネット部を備えたかつらベース及びこれを備えたかつらに関する。
【背景技術】
【０００２】
一般に、かつらは薄毛に悩む人が外見上実際の頭髪であるように見せるために、又は、病気治療のために医薬品の投与により脱毛した人が着用するものである。よって、必然的にかつらには実際の頭髪であるような毛の生え方となるようにすることが要求される。
【０００３】
また、かつらは使用者のヘアースタイルに応じて種々の形態に合うように作られるものであるが、特に分け目及びつむじを備えたヘアースタイルのかつらにおいては、分け目やつむじが実際の地肌であるように見えることが望ましい。
【０００４】
特にこれらの部分は、人毛又は人工毛によって比較的覆われない箇所であるため、外見上目立つ箇所となっている。そこで、従来から、上記のような要求を満足するために様々なかつらが提案されている。
【０００５】
例えば、特許文献１には、分け目やつむじの部分に人工皮膚を形成したかつらベースが開示されている。このかつらベースによれば、分け目やつむじの部分が人工皮膚により実際の地肌であるように見えるというものである。
【特許文献１】特開２００４−６８１９６号公報
【発明の開示】
【発明が解決しようとする課題】
【０００６】
しかしながら、特許文献１のかつらベースは、分け目やつむじの部分である人工皮膚と、人毛又は人工毛を植毛させるネット部とを縫着などで形成しており、これらが一体ではないため、強い力を与えると分離してしまう可能性がある。
【０００７】
また、従来の技術にはネット部に人工皮膚を重ねたようなかつらベースもあるが、この方法では、ネット部の厚みと人工皮膚の厚みとでその箇所が厚くなってしまう。よって外観上好ましくない。
【０００８】
そこで、本発明の課題は、分け目やつむじの部分となる箇所と、人毛又は人工毛が植毛される箇所とを一体化させ、且つ、分け目やつむじの部分となる箇所を目立たなくさせたネット部を備えたかつらベース及びこれを備えたかつらを提供することである。
【課題を解決するための手段】
【０００９】
人毛又は人工毛が植毛されるネット部で形成されているかつらベースにおいて、上記ネット部は単一の布状部材で構成され、このネット部の一部に地肌の色と近似した部分を有する構成とした。
【００１０】
好ましくは、上記地肌の色と近似した部分は、長手方向に伸びる矩形状に形成されている構成とした。
【００１１】
好ましくは、上記地肌の色と近似した部分は、頭髪の分け目部として使用される構成とした。
【００１２】
好ましくは、上記地肌の色と近似した部分は、頭髪の生え際部として使用される構成とした。
【００１３】
好ましくは、上記地肌の色と近似した部分は、所定幅で長手方向に伸びる細長部と、この細長部からその片側又は両側に所定角度及び間隔で伸長された多数の直線の集合からなる直線部と、を有し、上記多数の直線部の先端同士を結んだ線が略矩形状をなすように形成されている構成とした。
【００１４】
好ましくは、上記細長部の長手方向の一端は、上記多数の直線部が放射状に伸長されて略半円状に形成された半円部を有している構成とした。
【００１５】
好ましくは、上記記載のかつらベースを備えたかつら。
【発明の効果】
【００１６】
本発明のかつらベースによれば、ネット部と地肌の色と近似した部分とが一体であるため、強い力で引っ張っても破損する可能性が低い。また、分け目やつむじの部分となる箇所が目立たないので、外見上自然なかつらを形成することができる。
【発明を実施するための最良の形態】
【００１７】
以下、本発明の実施の形態に係るかつらベース及びこれを備えたかつらについて、図を用いて説明を行う。
【００１８】
（第１の実施の形態）
図１は、かつらベースの主たる構成であるネット部１１の第１の実施の形態を示す平面図である。同図１において示されているネット部１１は、かつらベースとして形成する前の状態を示している。
【００１９】
ネット部１１は、単一の布状部材で構成されている。すなわち、ネット部１１は地肌の色と近似した部分が縫着して形成されたり、又は、重ね合わせて形成されるものではない。このため、ネット部１１を引っ張っても、その部分が分離したりすることはない。
【００２０】
ネット部１１は自毛、人毛又は人工毛の色と近似した色と成るような黒色部１２と地肌の色と近似した色となるような肌色部１３とで形成されている。詳述すると、元来ネット部１１の着色前の色は肌色のものであり、この肌色のものに黒く着色を行いかつらベースとして使用されていた。だだし、ネット部１１は必ずしもこれに限るものではなく、例えば、ネット部１１の着色前の色は白色で、これに黒色と肌色とに染色させてもよい。
【００２１】
また、ネット部１１は網目を有するため、頭皮との通気性が良くなるというメリットがある。尚、ネット部１１の着色前の色は肌色で形成されていると上述したが、ここでの肌色とは、使用者の地肌の色と近似した色となるような色を用いることが前提であるため、使用者の地肌の色の違いによって濃淡の差が生じる。このため、特にオーダーメイドのかつらである場合は、顧客の肌色や性別に応じて脱色部１３の色あいが選択されることが予想される。
【００２２】
本実施の形態においては、ネット部１１は肌色のネット部１１を黒く着色する黒色部１２と着色しない肌色部１３とで形成されている。尚、肌色部１３の大きさ及びネット部１１における箇所は、特に限定されず、使用者の用途に合わせて形成することが可能である。
【００２３】
この肌色部１３は、かつらの分け目部、生え際部及びつむじ部などとして使用される。このように、上記各部に肌色部１３を用いたかつらを使用した際に、この肌色部１３は毛髪が左右に分けられ、髪が覆われていない箇所となるため、外見上目立ちやすい箇所ではあるが、頭皮の色と近似した色とすることで目立ちにくくなる。尚、図１では黒色部１２と肌色部１３との境を直線としているが、例えば、この直線を凹凸状に形成しても良い。
【００２４】
また、更には、ネット部１１は一体となって黒色部１２と肌色部１３とを形成しているため、強い力で引っ張られても破損する可能性が低いことがいえる。
【００２５】
図２は、図１のネット部１１を備えたかつらベース２０を示す平面図である。かつらベース２０は図１に示す長方形のネット部１１を丸く切って円形で形成されている。そのときに肌色部１３は、頭髪の分け目又は生え際の部分となるよう形成される。この肌色部１３は、半円を形成してなる半円部１３ａと、この半円部１３ａに連続して長手方向に伸びる矩形部１３ｂとで形成されている。尚、本実施の形態では、肌色部１３をネット部１１の中央寄りに配設した場合を示しているが、この位置に限定されない。例えば、肌色部１３を頭髪の生え際に用いる場合は、ネット部１１の周縁部に位置することになる。
【００２６】
図３は、図２のかつらベース２０に人毛又は人工毛１５を植毛させたかつら３０を示す平面図である。同図３において、かつら３０は、主に人毛又は人工毛を植毛させるためのネット部１１で形成されている。尚、ここでは図示しないが、実際にはネット部１１にも人毛又は人工毛１５がほぼ均一に植毛される。
【００２７】
図４は、図３のかつら３０に更にネット外周縁１４を備えたかつら４０である。同図４においてかつら４０は、主に人毛又は人工毛を植毛させるためのネット部１１と、ネット外周縁１４とで形成されている。このネット外周縁１４に人毛又は人工毛１５が植毛されている。尚、ここでは図示しないが、実際には上記と同様にネット部１１にも人毛又は人工毛１５が植毛される。
【００２８】
また、肌色部１３にも、黒色部１２と同様に人毛又は人工毛１５が植毛される。そして、例えば、肌色部１３に植毛した人毛又は人工毛１５を左右に振り分けることで分け目部が形成される。このように形成されることで、分け目部は下地が肌色なので実際の地肌のように見えることになる。
【００２９】
かつらベース２０は、円形で形成されたネット部１１の周縁に環状のネット外周縁１４を設けている。このネット外周縁１４を介して、ネット部１１がほぼ曲面状に湾曲され、使用者の頭部に沿うような皿形状を保持する役目をなす。
【００３０】
また、ネット外周縁１４は、弾力性を有する樹脂シートを裁断して成る環状シートをネット部１１の周縁に縫着又は熱溶着して設けると良い。尚、形成方法についてはこれに限定されず、外周縁を折り返して形成しても良い。
【００３１】
このかつら３０及び４０の装着方法は、ネット部１１又はネット外周縁１４に固定ピンなどを用いて装着する方法が考えられる。また、固定ピンなどの代用品として、ネット部１１又はネット外周縁１４に両面テープを用いて装着する方法も考えられる。また、このような固定ピン又は両面テープなどの固着具を用いない場合には、自毛と人毛又は人工毛とを混毛させ、混毛させた毛髪を固定スプレーなどで固定し装着する方法も考えられる。
【００３２】
本実施の形態によれば、装着する際にネット部１１を引っ張って装着するが、ネット部１１が黒色部１２と肌色部１３とで一体となって形成されているため破損する可能性が低い。
【００３３】
（第２の実施の形態）
図５は、かつらベースの主たる構成であるネット部５１の第２の実施の形態を示す平面図である。上述したように、肌色部５３の大きさ及び形状は、特に限定されない。尚、同図５において示されているネット部５１は、かつらベースとして形成する前の状態を示している。
【００３４】
ネット部５１も、ネット部１１と同様に単一の布状部材で構成されている。すなわち、ネット部５１も地肌の色と近似した部分が逢着されたり、重ね合わされているのではない。このため、ネット部５１を引っ張っても、その部分が分離したりすることはない。
【００３５】
ネット部５１も自毛、人毛及び人工毛の色と近似した色となるような黒色部５２と地肌の色と近似した色となるような肌色部５３とで形成されている。ここで、地肌の色と近似した色となるような肌色部５３は、所定幅の細長部５４と該細長部５４の両側に所定の角度及び所定の間隔で伸長された多数の直線５５の集合からなる直線部５６とを有している。
【００３６】
なお、本実施の形態では、細長部５４の左右両端に多数の直線５５が伸長された場合について説明したが、これに限定されず、例えば、細長部５４の片側に多数の直線５５を伸長させてもよい。また、所定の角度は細長部５４に対し、例えば、３０°ないし９０°に設定することが考えられる。これは、櫛で髪を梳かした時に髪の長手方向に沿わせるようにしたものである。また、所定の間隔は、顧客の髪の太さや髪の量によって適宜選択することが可能である。
【００３７】
そして、肌色部５３は多数の直線５５の先端同士を結んだ線が略矩形状をなすように形成されている。また、細長部５４の長手方向の一端（図５では上端）は、多数の直線５５が中心部５７から放射状に伸長させて略半円状に形成された半円部５８を有している。すなわち、本実施の形態では、肌色部５３は、細長部５４と直線部５６と半円部５８とを有している。
【００３８】
元来、ネット部５１の着色前の色も肌色のものであり、この肌色ものに黒く着色を行い、かつらベースとして使用されていた。前述したように、肌色部５３を適宜の角度及び間隔を有して黒色部５２と肌色部５３とで構成することにより、分け目部や生え際部がより目立ちにくくなるというメリットがある。
【００３９】
本実施の形態においても、ネット部５１は肌色のネット部５１を黒く着色する黒色部５２と着色しない肌色部５３とで形成されている。尚、適宜の角度及び間隔を有した肌色部５３の角度や線幅の太さは、特に限定されず、使用者の髪の癖に合わせて形成することが可能である。
【００４０】
また、本実施の形態においても、ネット部５１は一体となって黒色部５２と肌色部５３とを形成しているため、強い力で引っ張られても破損する可能性が低いことがいえる。
【００４１】
図６は、図５のネット部５１を備えたかつらベース６０を示す平面図である。かつらベース６０は、図５に示す長方形のネット部５１を丸く切って円形で形成されている。このときに肌色部５３は、頭髪の分け目又は生え際の部分となるように用いられる。尚、本実施の形態では、肌色部５３をネット部５１の中央寄りに配設した場合を示しているが、この位置に限定されない。例えば、肌色部５３を頭髪の生え際部に用いる場合は、ネット部５１の周縁部に位置することになる。
【００４２】
図７は、図６のかつらベース６０に人毛又は人工毛１５を植毛させたかつら７０を示す平面図である。同図７において、かつら７０は、主に人毛又は人工毛を植毛させるためのネット部１１で形成されている。尚、ここでは図示しないが、実際にはネット部１１にも人毛又は人工毛１５がほぼ均一に植毛される。
【００４３】
本実施の形態のかつらベース５１によれば、分け目部が上述したような形状で形成されていることにより、外見上より目立たない分け目部を形成することができる。また、第１の実施の形態と同様に装着する際にネット部５１を引っ張って装着するが、ネット部５１と肌色部５３とが一体で形成されているため破損する可能性が低い。
【図面の簡単な説明】
【００４４】
【図１】かつらベースの主たる構成であるネット部の第１の実施の形態を示す平面図である。
【図２】図１におけるネット部を備えたかつらベースを示す平面図である。
【図３】かつらベースに人毛又は人工毛を植毛させたかつらを示す平面図である。
【図４】かつらベースにネット外周縁を備えたかつらを示す平面図である。
【図５】かつらベースの主たる構成であるネット部の第２の実施の形態を示す平面図である。
【図６】図５におけるネット部を備えたかつらベースを示す平面図である。
【図７】かつらベースに人毛又は人工毛を植毛させたかつらを示す平面図である。
【符号の説明】
【００４５】
１１      ネット部
１２      黒色部
１３      肌色部
１３ａ    半円部
１３ｂ    矩形部
１４      ネット外周縁
１５      人毛又は人工毛
２０      かつらベース
３０      かつら
４０      かつら
５１      ネット部
５２      黒色部
５３      肌色部
５４      細長部
５５      直線
５６      直線部
５７      中心部
５８      半円部
６０      かつらベース
７０      かつら
【図１】
2008266861.tif 000003
【図２】
2008266861.tif 000004
【図３】
2008266861.tif 000005
【図４】
2008266861.tif 000006
【図５】
2008266861.tif 000007
【図６】
2008266861.tif 000008
【図７】
2008266861.tif 000009